(57)【要約】【課題】パネルに特別な加工を必要とせず、取付作業者が１人でも支柱に取付けやすいフェンスを提供する。【解決手段】間隔をおいて立設された支柱１間に、縦桟３と横桟４とを有するパネル２を取付ける際、前記支柱１の前面には上方に向けて開口する取付溝６が設けられ、前記横桟４には取付部材５が取付けられるとともに、該取付部材５には前記取付溝６に挿入されて該取付部材５を支柱１に支持させる取付部５１が設けられているようにすれば、作業者が１人であっても、支柱１に対してパネル２を仮置きすることが可能となり、設置作業が容易となる。【選択図】  図１
2014058862.tif 000002
【特許請求の範囲】
【請求項１】
間隔をおいて立設された支柱間に、複数の縦桟と横桟とを有するパネルが取付けられ、前記支柱の前面には上方に向けて開口する取付溝が設けられ、前記横桟には取付部材が取付けられるとともに、該取付部材には前記取付溝に挿入されて該取付部材を支柱に支持させる取付部が設けられていることを特徴とするフェンス。
【請求項２】
前記取付部は、取付溝に挿入されて、前記取付溝内を摺動可能となされるとともに、係止部が設けられ、該係止部が取付溝の端部に係止することにより、取付溝からの抜脱が防止されていることを特徴とする請求項１に記載のフェンス。
【請求項３】
前記取付部材は、長手方向に沿って後方に向けて開口する凹溝が中央部に設けられ、凹溝の下方に取付部が設けられ、上方には固定部が設けられた縦断面ハット型であって、取付部の下端が横桟の下面よりも突出しないようになされていることを特徴とする請求項１又は２に記載のフェンス。
【発明の詳細な説明】
【技術分野】
【０００１】
本発明は、敷地境界部や隣地境界部に設けられるフェンスにおいて、支柱の前面側にパネルが取付けられたフェンスに関する。
【背景技術】
【０００２】
一般に、道路と敷地の境界、敷地同士の境界等を仕切るために、その境界部に沿ってフェンスが取付けられている。前記フェンスは、通常、境界に沿って立設された支柱間にパネルが取付けられたものであり、支柱の側面間に該支柱とパネルとが略同一面上に取付けられる、いわゆる固定柱タイプと、支柱の前面側にパネルが取付けられる、いわゆる自由柱タイプとがある。
【０００３】
前記フェンスにおいて、例えば、自由柱タイプの場合は、取付けるパネルの重量が前方に偏って働くため、パネルを支柱に取付ける形態としては、パネルを構成する線材や管材を、その断面形状に合わせて断面ハット形状の取付金具で抱持する形態や、例えば、特許文献１，２に示されるように、支柱に掛け金具を取付け、パネルの管材を異型押出成形して長手方向に沿って係止片を設けて、この係止片を前記掛け金具に係止する形態が用いられている。
【先行技術文献】
【特許文献】
【０００４】
【特許文献１】実開昭５１−６２２２９号公報
【特許文献２】実公平３−１１３２９号公報
【発明の概要】
【発明が解決しようとする課題】
【０００５】
ところで、前記のようなハット形状の取付金具を用いてパネルを取付ける場合、支柱に対してパネルを強固に取付けることができるが、取付作業が煩雑であって、一般には、パネルを所定の高さで支持する作業者と、取付金具を取付ける作業者との、少なくとも二人は必要であった。パネルの管材に係止片を設けた形態では、管材として利用できる材料がアルミニウム合金等の特定のものに限定され、また、係止片は、掛け金具の箇所のみ必要であるところ、管材の長手方向にわたって形成されるため、材料コストがかかり、外観上、意匠性が低下するおそれがあった。
【０００６】
本発明は、前記の如き問題点を解消し、パネルに特別な加工を必要とせず、取付作業者が１人でも支柱に取付けやすいフェンスを提供する。
【課題を解決するための手段】
【０００７】
上記目的を達成するために、本発明は次のような構成としている。
すなわちこの発明に係るフェンスは、間隔をおいて立設された支柱間に、複数の縦桟と横桟とを有するパネルが取付けられ、前記支柱の前面には上方に向けて開口する取付溝が設けられ、前記横桟には取付部材が取付けられるとともに、該取付部材には前記取付溝に挿入されて該取付部材を支柱に支持させる取付部が設けられていることを特徴とするものである。
【０００８】
本発明に係るフェンスにおいて、前記取付部は、取付溝に挿入されて、前記取付溝内を摺動可能となされるとともに、係止部が設けられ、該係止部が取付溝の端部に係止することにより、取付溝からの抜脱が防止されるようにすることが好ましい。
【０００９】
また本発明に係るフェンスにおいて、前記取付部材は、長手方向に沿って後方に向けて開口する凹溝が中央部に設けられ、凹溝の下方に取付部が設けられ、上方には固定部が設けられた縦断面ハット型であって、取付部の下端が横桟の下面よりも突出しないようになされることが好ましい。
【発明の効果】
【００１０】
本発明によれば、前記支柱の前面には上方に向けて開口する取付溝が設けられて、前記横桟に取付けられた取付部材の取付部を取付溝に挿入することによって、パネルを支柱に仮置きした状態とすることができるので、作業者が１人であっても、仮置き作業が可能となり、加えて、パネルに取付ける取付部材は、該取付部材を取付ける支柱付近のみに取付けておけばよいので、パネルの重量増加を抑えてコスト低減を図ることが可能となる。
【００１１】
また、前記取付部が、取付溝内を摺動可能に挿入され、取付溝の端部に係止する係止部を設けていれば、フェンスを傾斜に設置した場合に、支柱間にパネルを傾斜させて配置しても、パネルは支柱から外れにくくなる。
【００１２】
更に、前記取付部材が、長手方向に沿って後方に向けて開口する凹溝が中央部に設けられ、凹溝の下方設けられた取付部の下端が横桟の下面よりも突出しないようにすれば、取付溝の外壁部が横桟と取付部との間に配置可能となるので、取付部材の上下方向の寸法を短くしても、パネルを支柱に取り付けることができる。
【図面の簡単な説明】
【００１３】
【図１】本発明に係るフェンスにおいて第１の実施形態を示す正面図である。
【図２】図１の支柱付近における拡大斜視図である。
【図３】図２の正面図である。
【図４】図２の側面図である。
【図５】本発明に係るフェンスにおける、横桟の連結部付近の説明図である。
【図６】本発明に係るフェンスにおいて第２の実施形態を示す拡大斜視図である。
【図７】図６の正面図である。
【図８】図６の側面図である。
【図９】本発明に係るフェンスにおいて第３の実施形態を示す拡大斜視図である。
【図１０】図９の正面図である。
【図１１】図９の側面図である。
【図１２】本発明に係るフェンスにおける、横桟の背面側の部分拡大斜視図である。
【図１３】本発明に係るフェンスにおいて第４の実施形態を示す側面図である。
【図１４】図１３において一部を切り欠いた説明図である。
【図１５】本発明に係るフェンスにおいて第５の実施形態を示す側面図である。
【図１６】図１５において一部を切り欠いた説明図である。
【図１７】本発明に係るフェンスにおいて第６の実施形態を示す側面図である。
【図１８】図１７において一部を切り欠いた説明図である。
【発明を実施するための形態】
【００１４】
次に、本発明を実施するための最良の形態について図面を参照し、具体的に説明する。
【００１５】
図１〜２は本発明に係るフェンスにおいて第１の実施形態を示すものであり、図１は正面図、図２は支柱付近における拡大斜視図である。
【００１６】
図面において、１は設置面に間隔をおいて立設された支柱、２は支柱１の前面に取付けられたパネル、３及び４はパネル２を構成する縦桟及び横桟、５は支柱１に横桟４を固定するための取付部材である。
【００１７】
支柱１は、その下部が設置面に埋設されて適宜間隔をおいて立設されている。支柱１は一般に強度的に安定している鋼管が用いられるが、鋼材以外に他の金属を用いてもよい。他の金属としては、アルミニウム合金、ステンレス合金等を挙げることができる。支柱１の断面形状は、一般にパネル２が取付けられる面が平坦であれば、パネル２の横桟４をその長手方向に沿って支持しやすいので、本形態のように前面が平坦な角型形状の鋼管が好適に用いられるが、横桟４を取付ける前面が平坦であれば、断面Ｈ字型でもよく、断面Ｔ字型でもよい。更に、支柱１の耐食性や耐候性を高めるために金属めっきや塗装が施されてもよい。尚、支柱１の前面とは、支柱１に対してパネル２が配置される面を前面としたものであり、実施例についてもその様に説明するが、フェンスＰが敷地境界部に設置される場合は、道路等に面した外側を前面としてもよく、また家屋側を前面としてもよい。また、本形態では、支柱１の上端に支柱キャップ１１が取付けられている。
【００１８】
パネル２は、左右に間隔をおいて多数の縦桟３が配置され、上下に間隔をおいて横桟４が配置されると共に、該縦桟３と横桟４との交差部において接合されたものである。縦桟３は、一般には強度的に安定しておりコストの安い鋼管が好適に用いられるが、他の金属を用いてもよく、ステンレス合金やアルミニウム合金を用いることができる。また耐食性や耐候性を高めるために縦桟の表面に金属めっきや塗装が施されてもよい。隣り合う縦桟３の隙間の間隔は特に限定されるものではないが、フェンスＰを設置した時に、通行人等が横桟４に足を掛けてパネル２を容易に乗り越えないように、該縦桟３の隙間の間隔は靴が入りにくい方が好ましく、本形態では約５０ｍｍに設定している。更に縦桟３の上端にはキャップ３１が取付けられている。
【００１９】
横桟４も、縦桟３と同様に、一般には強度的に安定しておりコストの安い鋼管が好適に用いられるが、他の金属を用いてもよく、ステンレス合金やアルミニウム合金を用いることができる。また耐食性や耐候性を高めるために横桟４の表面に金属めっきや塗装が施されてもよい。なお、横桟４は、本形態では、パネル２の上部と下部に二個配置されているが、この二個の横桟４の間に更に配置して三本の横桟４を配置したパネル２を用いてもよく、四本以上でもよい。
【００２０】
縦桟３及び横桟４は、本形態では、それぞれ断面矩形状の角型形状に形成されており、その交差部において、縦桟３と横桟４の一部が重合され、その重合面の外周部が溶接で接合され、縦格子状のパネル２が形成されている。本形態のような断面矩形状の鋼管を用いることによって、交差部の溶接による接合が容易となり好ましい。縦桟３及び横桟４の断面形状は、矩形状に限定されるものではなく、多角形状の断面でもよく、円形状の断面でもよく、これらを組み合わせたものでもよい。多角形状の断面形としては、三角形、五角形、六角形等を挙げることができる。また円形状の断面形状としては、断面円形状でもよく、楕円形状でもよい。
【００２１】
次に、図２〜４を参考にして、支柱１に対するパネル２の取付構造について更に詳しく説明する。前記縦桟３と横桟４とを含むパネル２は、本形態では、横桟４が縦桟３より後方に配置され、前記横桟４の背面に、上下に亘って縦板状となされた取付部材５が取付けられている。そして前記取付部材５の縦板状の下端部は、前記横桟４の下面よりも下方に張り出されて取付部５１となされている。一方、支柱１の前面には、上方に向けて開口する取付溝６が設けられている。そして、横桟４の取付部材５の前記取付部５１を支柱１の取付溝６に挿入することができるようになされており、取付部５１を支柱１の取付溝６に挿入することによって、前記取付部材５を支柱１に支持させるとともに、この取付部材５を介してパネル２を支柱１に仮置きし、また支持することができるようになされている。
【００２２】
取付部材５は、横桟４の背面側に配置され、そして、本形態では、横桟４に対して前後に貫通するビスＢ１を介して連結されており、更に、ビスＢ１の頭部が取付部材５に設けられた凹部に収納されるように形成されているので、前記ビスＢ１の頭部と支柱１とで接触等による干渉が起こらない。また本形態では、パネル２の横桟４に取付部材５を取付けて、その後支柱１に仮置きするものであって、取付部材５を先に横桟４に取付けた形態であるが、取付作業に支障がでない範囲でその手順を変えてもよい。
【００２３】
なお、本形態では、別体で形成された取付部材５が横桟４に取付けられるようになされているので、取付部材５を横桟４に一体成形して、取付部材５を横桟４の長手方向全長に亘って設けた、いわゆる押出型材を使用する場合に比べると、本形態のような断面矩形状の単純な断面形状であっても、断面形状の変更が比較的難しい角形鋼管を用いる場合であっても、該横桟４を有するパネル２を支柱１に容易に仮置きすることができる。また取付部材５は必要な箇所のみに取付ければよいので、部材コストの低減を図り、パネル２自体の重量の増加を抑えることができる。
【００２４】
取付溝６は、本形態では、図３に示すように、支柱１と支柱１とは別体の係止部材６１とによって形成されており、支柱１の前面にビスＢ２によって固定される固定片６２と、前記固定片６２の上部から前方に向けて屈曲されて更に途中で上方に向けて屈曲された張出壁部６３とを備えている。そして前記張出壁部６３と支柱１との間に該取付溝６が形成されている。
【００２５】
また正面視において、横桟４が取付けられる位置に対応する支柱１の前面の所定の位置にそれぞれ前記取付溝６を設け、前記取付溝６に対応する横桟４に取付部材５をそれぞれ取付けて、前記各取付部材５の取付部５１を取付溝６に挿入させることによって、支柱１に対してパネル２をより安定的に仮置きすることができる。
【００２６】
前記係止部材６１は、前後方向に貫通する貫通孔（図示せず）が設けられ、前記貫通孔を通って支柱１を前後に挿通するビスＢ２を介して固定されている。そして、本形態では、ビスＢ２によって支柱１に取付けられた係止部材６１と縦桟３との間は、側面視において接触しない十分な隙間が設けられているので、取付部材５の取付部５１を前記取付溝６に挿入させた状態で、パネル２を左右方向に移動させても、不必要な干渉が起こらず、パネル２を左右方向に移動させて、作業しやすい位置でビスＢ２の取付作業が可能となる。またビスＢ２を通す前記貫通孔を係止部材６１の重心より上方に設けておけば、係止部材６１にビスＢ２を通して支柱１に取付ける際に、作業者は特段の位置調整をせずとも、張出壁部６３が上方に配置されて取付溝６が上方に開口された状態となるので、支柱１に対する係止部材６１の取付作業が容易となる。
【００２７】
取付溝６は、他の形態としては、図示しないが、例えば、縦板状部材の上端部の背面側を上端から切り欠いて切欠部を設け、該縦板状部材を支柱１に取付けた際に、前記切欠部が取付部材５の取付部５１が挿入される取付溝６に相当するように形成したものを挙げることができる。また取付溝６は、支柱１と一体に形成してもよい。図示しないが、支柱１の前面の一部を逆Ｕ字型状に切り欠き、その切欠部の内側を前方に張り出させて張出部を設け、該張出部と支柱のとの間に取付部材の取付部が挿入される取付溝６を設けたものでもよい。
【００２８】
取付部材５の上端部は、本形態では、取付けられる横桟４の上面よりも上方に張り出されて固定部５２となされており、前記固定部５２が支柱１の前面側から離れない様に、前記固定部５２の前面に配置される止め金具７が支柱１に取付けられている。これにより、支柱１に対してパネル２を強固に取付けることができる。
【００２９】
止め金具７は、図３に示された係止部材６１を上下に反転させた下方に開口する溝形の形態であるので詳しい説明は省略するが、ビスＢ２を介して支柱１に取付けられており、部品の共通化を図ることができる。なお、止め金具７は、本形態に限られるものではなく、例えば、止め金具７とビスＢ２とが一体的な機能を有するように、取付ビスの頭部の先端に側面視円弧状の折り曲げ部を設け、該折り曲げ部の先端で取付部材５の固定部５２の前面に配置される形態でもよい。
【００３０】
パネル２同士の連結は、本形態では、図１に示すように、左右に隣り合う２個のパネル２の横桟４の側端において、それぞれに跨って横桟４に挿入したスリーブ８を介して連結されて連結部Ｒが形成されている。すなわち、図５に示すように、連結部Ｒにおいて、スリーブ８は、断面矩形状の角型形状である横桟４の内形状に対応した上壁部８１と下壁部８２とこれらを接続する縦壁部８３とからなる断面コ字状に形成されたものである。そして、横桟４の上面、下面から、横桟４に挿入されたスリーブ８の対応する上壁部８１、下壁部８２に向けてビスＢ３を螺入して、スリーブ８と横桟４を締結することによって、隣り合う横桟４とがスリーブ８を介して連結される。
【００３１】
パネル２同士の連結の形態は特に限定されるものではなく、本形態のように横桟４内に挿入するスリーブ８を用いたものでもよく、横桟４を外側から覆う連結材を用いたものでもよい。スリーブ８を用いる場合は、本形態のような断面コ字状の形態でもよいが、断面矩形状のものを用いてもよい。また連結材を用いる場合は、断面コ字状の形態であって、その内側に横桟４の連結部Ｒが配置される形態でもよく、横桟４の上面と下面に沿って取付けられる板状の連結材を用いるものでもよい。
【００３２】
図６〜８は、本発明のフェンスに係る第２の実施形態を示すものであって、図６は支柱付近の部分拡大斜視図、図７は図６の正面図、図８は図６の側面図である。本形態は、図１〜５に示されたフェンスＰと比べて、主に取付部材５の形態が異なるものであり、既に説明した内容と同じ構成要素には同じ符号を付し、その説明は省略する。すなわち、本形態に係る取付部材５は、上取付部材５３と下取付部材５４とから構成されている。前記上取付部材５３は、横桟４の上面に固定される上固定片５５の一端から上方に立ち上がる固定部５２を有する断面略Ｌ字状であって横桟４の長手方向に沿って延設されている。また下取付部材５４は横桟４の下面に固定される下固定片５６の一端から垂下された取付部５１とを備えた、断面略逆Ｌ字状であって左右方向に沿って延設されている。上取付部材５３と下取付部材５４の左右方向の長さは、特に限定されるものではなく、支柱１にパネル２を取付けるために必要な長さを有していればよく、図１〜５に示されたフェンスＰで用いられている取付部材５の長さと同程度でよい。
【００３３】
そして上取付部材５３と下取付部材５４は、上取付部材５３、横桟４及び下取付部材５４を上下に貫通するビスＢ４を介してそれぞれ固定されている。また図３に示されたフェンスＰと同様に、支柱１には上方に向けて開口する取付溝６が設けられており、下取付部材５４の取付部５１を前記取付溝６に挿入して、パネル２を支柱１に仮置きし、また支持することができる。また上取付部材５３の固定部５２は、図３に示された取付部材５の固定部５２と同様な形態で固定される。すなわち、図３に示されるように、止め金具７を用いて、固定部５２の前面側に押さえつけて固定することによって、支柱１間に仮置きしたパネル２に対して、前記固定部５２が支柱１の前面側から離れない様に止め金具７によって支柱１の前面側に向けて押さえて、支柱１に対してパネル２を強固に取付けることができる。
【００３４】
図９〜１２は、本発明のフェンスに係る第３の実施形態を示すものであって、図９は支柱付近の部分拡大斜視図、図１０は図９の正面図、図１１は図９の側面図、図１２は本形態に係る横桟４の背面側の部分拡大斜視図である。本形態は、図１〜５に示されたフェンスＰと比べて、主に取付部材５の形態が異なるものであり、既に説明した内容と同じ構成要素には同じ符号を付し、その説明は省略する。すなわち、本形態に係る取付部材５は、長手方向に沿って後方に向けて開口する凹溝５７が中央部に設けられ、凹溝５７の下方に取付部５１が設けら、上方には固定部５２が設けられた縦断面ハット型のものである。更に詳しく説明すると、凹溝５７は、下壁５７ａ、縦壁５７ｂ、上壁５７ｃとを備え、下壁５７ａから下方に向けて取付部５１が設けられている。
【００３５】
横桟４と取付部材５との取付構造は、図１０〜１２に示すように、取付部材５はボルトＢ５を介して横桟４に取付けられており、ボルトＢ５の頭部Ｈが凹溝５７内に配置されると共に、前記頭部Ｈの側部が凹溝５７の下壁５７ａと上壁５７ｃとによって係止されている。すなわち、ボルトＢ５のねじ先端にナットＮを螺着して締結する際に、ボルトＢ５が軸周りに回転しないので、締結作業が容易になる。
【００３６】
そして、前記取付部５１が支柱１の前面に形成された上方に向けて開口する取付溝６に挿入されるようになされている点については、図１〜５に示された形態と同様であるのでが、この形態では、横桟４と取付部５１との間には隙間Ｓ１が設けられており、支柱１に固定された係止部材６１の張出壁部６３の先端部、すなわち、取付溝６の外壁部の先端部が、前記隙間Ｓ１の横桟４と取付部５１との間に挿入可能となされている。これにより、取付部材５の取付部５１を必要以上に下方に張り出す必要はないので、本形態のように、正面視において、取付部５１の下端が横桟４の下面よりも突出せずに、ほぼ面一としてもよく、フェンスＰの前面側からは取付部材５が目立たちにくくなる。なお、横桟４を支柱１に仮置きすることができれば、前記取付部５１の下端が横桟４の下面よりも上方に位置していてもよい。
【００３７】
取付部材５は、凹溝５７の上壁５７ｃから上方に向けて固定部５２が設けられている。そして、横桟４と固定部５２との間にも前記と同様に隙間Ｓ２が設けられており、止め金具７の先端部が前記隙間Ｓ２の横桟４と固定部５２との間に挿入可能となされている。これにより、取付部材５の固定部５２を必要以上に上方に張り出す必要はないので、本形態のように、正面視において、固定部５２の上端が横桟４の上面よりも突出せずに、ほぼ面一としてもよく、フェンスＰの前面側からは取付部材５が目立たちにくくなる。なお、横桟４を支柱１に強固に取付けることができれば、前記固定部５２の上端が横桟４の上面よりも下方に位置していてもよい。
【００３８】
図１３，１４は、本発明のフェンスに係る第４の実施形態を示すものであって、図１３は側面図、図１４は図１３において縦桟３等の一部を切り欠いた説明図である。本形態は、図９〜１１に示されたフェンスＰと比べて、主に取付部材５の形態が異なるものであり、既に説明した内容と同じ構成要素には同じ符号を付し、その説明は省略する。
【００３９】
本形態に係るフェンスＰにおいて、取付部材５は、取付部５１の左右両端に横桟４の背面側に向けて折曲されて形成された係止部５８が設けられている。すなわち、前記取付部材５は、その左右の長さを係止部材６１よりも長くし、前記係止部５８が係止部材６１の左右端部よりも外方に位置するようにして形成されている。これによって、フェンスＰを傾斜地に取付けた場合に、係止部材６１で横桟４の取付部材５を支持していても、パネル２の自重により、左右いずれかの低い側に向けて取付部材５の取付部５１が取付溝６内を滑って、取付部材５が係止部材６１から抜けてしまう可能性があるが、この係止部５８を設けることによって、上記のような滑りが生じても、該係止部５８が係止部材６１の端部、すなわち取付溝の端部に対する当たりとなって、それ以上滑らずに、パネル２が外れる可能性は低くなる。また、係止部５８によって係止部材６１が滑り方向に押された場合に、係止部材６１は、ビスＢ２を軸として回動することによって、取付溝６の底面が取付部５１の底面に当たって、それ以上、係止部材６１は回動しないようになされており、取付部材５が取付溝６から滑り向けることを防ぐことができる。
【００４０】
本形態に係るフェンスＰにおいては、取付部材５の固定部５２の左右両端にも横桟の背面側に向けて突出する係止部５８が設けられており、前記のように取付部材５が低い側に向けて滑った際、前記係止部５８が止め金具７への当たりとなって、それ以上は滑らずに、パネル２が外れる可能性は低くなる。また、係止部５８によって止め金具７が滑り方向に押された場合でも、取付部材５と止め金具７との間で生じる上記と同様な効果によって、パネル２が外れることを防ぐことができる。
【００４１】
前記係止部５８は、取付部材５の取付部５１及び固定部５２それぞれの左右両端に設けられているが、少なくとも係止部５８は左右にひとつずつ設けられていれば、フェンスＰの設置場所が、左右のどちら方向に傾斜していても、取付部材５の滑り抜けを抑えて、パネル２が外れることを防ぐことができる。更に、本形態のように取付部材５が上下方向に反転させても取付け可能な形状であれば、前記係止部５８が少なくともひとつ設けられていれば、該係止部５８を傾斜地の高い方に配置することによって、取付部材５の滑り抜けを抑えて、パネル２が外れることを防ぐことができる。
【００４２】
図１５，１６は、本発明のフェンスに係る第５の実施形態を示すものであって、図１５は側面図、図１６は図１５において縦桟３等の一部を切り欠いた説明図である。本形態は、図６〜８に示されたフェンスＰと比べて、主に取付部材５の形態が異なるものであり、既に説明した内容と同じ構成要素には同じ符号を付し、その説明は省略する。
【００４３】
すなわち、本形態に係るフェンスＰにおいて、取付部材の上取付部材５３の固定部５２及び下取付部材５４の取付部５１の左右両端に、図１３，１４に示された形態と同様な係止部５８が設けられたものであって、該係止部５８により、前記と同様に係止部材６１及び止め金具７からの取付部材５の滑り抜けを抑えて、パネル２が外れることを防ぐことができる。
【００４４】
図１７，１８は、本発明のフェンスに係る第６の実施形態を示すものであって、図１７は側面図、図１８は図１７において縦桟３等の一部を切り欠いた説明図である。本形態は、図１〜４に示されたフェンスＰと比べて、前記と同様に取付部材５の形態が異なるものであり、既に説明した内容と同じ構成要素には同じ符号を付し、その説明は省略する。
【００４５】
すなわち、本形態に係るフェンスＰにおいて、取付部材５の固定部５２及び取付部５１の左右両端に、図１３，１４に示された形態と同様な係止部５８が設けられたものであって、該係止部５８により、前記と同様に係止部材６１及び止め金具７からの取付部材５の滑り抜けを抑えて、パネル２が外れることを防ぐことができる。
【符号の説明】
【００４６】
１    支柱
１１  支柱キャップ
２    パネル
３    縦桟
３１  キャップ
４    横桟
５    取付部材
５１  取付部
５２  固定部
５３  上取付部材
５４  下取付部材
５５  上固定片
５６  下固定片
５７  凹溝
５７ａ  下壁
５７ｂ  縦壁
５７ｃ  上壁
５８  係止部
６    取付溝
６１  係止部材
６２  固定片
６３  張出壁部
７    止め金具
８    スリーブ
８１  上壁部
８２  下壁部
８３  縦壁部
Ｂ１、Ｂ２、Ｂ３  ビス
Ｂ４、Ｂ５  ボルト
Ｈ    頭部
Ｎ    ナット
Ｐ    フェンス
Ｒ    連結部
Ｓ１、Ｓ２  隙間
【図１】
2014058862.tif 000003
【図２】
2014058862.tif 000004
【図３】
2014058862.tif 000005
【図４】
2014058862.tif 000006
【図５】
2014058862.tif 000007
【図６】
2014058862.tif 000008
【図７】
2014058862.tif 000009
【図８】
2014058862.tif 000010
【図９】
2014058862.tif 000011
【図１０】
2014058862.tif 000012
【図１１】
2014058862.tif 000013
【図１２】
2014058862.tif 000014
【図１３】
2014058862.tif 000015
【図１４】
2014058862.tif 000016
【図１５】
2014058862.tif 000017
【図１６】
2014058862.tif 000018
【図１７】
2014058862.tif 000019
【図１８】
2014058862.tif 000020